【事件の表示】
　特許第２７２１３６０号「カラー画像処理装置」の特許に対する特許異議の申立てについて、次のとおり決定する。
【結論】
　訂正を認める。
　特許第２７２１３６０号の特許を維持する。
【理由】
Ｉ【手続きの経緯】
　特許第２７２１３６０号に係る発明は、昭和６３年７月２０日に特許出願され、平成９年１１月２１日にその特許の設定登録がなされ、その後異議申立人遠藤秀貴より特許異議の申立てがなされ、取消理由通知がなされ、その指定期間内である平成１１年５月１０日に訂正請求がなされた後、訂正拒絶理由が通知され、訂正拒絶理由に対して手続補正書が提出されたものである。
ＩＩ【訂正の適否についての判断】
ア．訂正請求に対する補正の適否について
　上記手続補正書による補正は、訂正明細書について、その特許請求の範囲を減縮すると共に、発明の詳細な説明をこれと整合を図るため明瞭化するものであるから、当該訂正請求に対する補正は、訂正請求書の要旨を変更するものではなく、特許法第１２０条の４第３項において準用する同法第１３１条第２項の規定に適合する。
イ．訂正の内容
　特許権者が求めている訂正の内容は、以下の▲１▼〜▲３▼のとおりである。
▲１▼特許請求の範囲の記載を平成１１年８月２３日付けの手続補正書により補正された訂正明細書の請求項１に記載される次のとおりに訂正する。
「（１）
複数設けられた登録部から選択された登録部を受け付ける手段、
　対象画像を読み取る読み取り手段によって読み取られた画像の色データを複数
前記受け付ける手段により受け付けられた複数の登録部に
　該登録する手段によって任意に登録された複数の色データを
、前記色データそれぞれに対応して受け付けられた登録部を認識可能な形式で
▲２▼上記訂正▲１▼による請求項１の訂正に伴い、これと整合を図るために発明の詳細な説明中の〔問題点を解決するための手段〕及び〔作用〕の項の記載を補正された訂正明細書のとおりに訂正する。
▲３▼上記訂正▲１▼による請求項１の訂正に伴い、これと整合を図るために発明の詳細な説明中の〔発明の効果〕の項の記載を補正された訂正明細書のとおりに訂正する。
ウ．訂正の目的の適否、新規事項の有無及び拡張・変更の存否
　上記訂正▲１▼は、特許請求の範囲の減縮を目的とする訂正に該当し、また上記訂正▲２▼，▲３▼は、上記訂正▲１▼による請求項１の訂正に伴い、これと整合を図るために発明の詳細な説明中の記載を明瞭化するものであるから、明瞭でない記載の釈明を目的とする訂正に該当する。
　そして、上記訂正▲１▼〜▲３▼は、いずれも特許明細書に記載されている事項の範囲内のものであり、新規事項の追加に該当せず、また実質上特許請求の範囲を拡張し、変更するものでもない。
エ．独立特許要件の判断
《引用刊行物》
　補正された訂正明細書の請求項１に係る発明（以下、「本件発明」という。）に対して、当審が通知した訂正拒絶理由において引用した刊行物１（特開昭６３−６７９７３号公報、以下「引用例１」という。）には、「カラー複写装置」（発明の名称）に関し、図面と共に次のとおりの記載がある。
▲１▼「原稿を読取り電気信号に変換して入力する画像入力手段と、前記電気信号を色情報に基づいて色変換を行い画像信号に変換する変換手段と、前記電気信号をもとに印刷する印刷手段とを備えたカラー複写装置であって、複数の色情報を記憶する記憶手段と、前記色情報を基に前記印刷手段により複数の色パターンを印刷するパターン出力手段と、前記色パターン上の色を指示する指示手段と、該指示手段により指示された１の色に対応する色情報を、前記指示手段により指示された２の色に対応する色情報で入れ替える手段とを備えたことを特徴とするカラー複写装置。」
（特許請求の範囲）
▲２▼「そこで本実施例では、第５図に示す様な色パターンテーブル２２をパターン出力部２１０に記憶しておき、そのテーブル２２に対応した色変換係数を色係数メモリ２０８に記憶しておく。
　通常のコピー動作により印刷部１０３で再生されたコピー２０６を見て、ユーザーが色を変換したいと思った時、まず操作部１０５より第５図に示すパターンテーブル２２のプリントを指示する。次にその印刷したパターンテーブル２２をポインティングデバイス１０４にセットする。コピー２０６の変換したい色に対応する色を、パターンテーブル２２の複数の色のうちから選んでポインティングデバイス１０４により指定する。
　これは例えば、５０で示された色を５１で示された色に変換したいとき、パターンテーブル２２の色５０、５１を順に指示する。制御部はこの指示情報を入力し、色５１の色係数を色係数メモリ２０８より読み出しＲＡＭ２０７の色５０の色係数に置き換える。これにより次のコピー動作より、色５０は色５１として再生されプリントされることになる。」（公報第３頁右下欄第１４行〜第４頁右上欄第２行）
　同じく引用した刊行物２（特開昭６３−１０６７６２号公報、以下「引用例２」という。）には、「カラー画像形成装置」（発明の名称）に関し、図面と共に次のとおりの記載がある。
▲１▼「次にカラー原稿４をデジタイザ１上に図の如く載置して、例えば点Ｐを指示すると、デジタイザ２より制御部１００にＰ点の位置座標が送出され、制御部のＲＡＭに記憶される。
　この後カラー原稿４を画像入力部１０１に下向きに載置して色を読み込む。この時、制御部１００はＲＡＭに記憶されているデジタイザ１上で指示されたＰ点の座標をもとに、カラー原稿４のＰ点の色情報を読取り、色情報メモリ１０４に記憶する。これにより原稿３の実際の複写動作時には、原稿３の指定された領域６０がカラー原稿４のＰ点の色で印刷されることになる。」（公報第３頁右下欄第６行〜第４頁左上欄第１行）
　同じく引用した刊行物３（特開昭６２−１９２８６４号公報、以下「引用例３」という。）には、「カラー画像処理装置」（発明の名称）に関し、図面と共に次のとおりの記載がある。
▲１▼「第１図は本発明の実施例の基本構成を示す。第１図において、ａはカラー画像データの発生手段としての画像読取手段であり、原稿のカラー画像をＣＣＤ（電荷結合素子）等のイメージセンサで読み取って、色分解された３色のカラーデータ（デジタルデータ）を出力する。ｂはデジタイザーのような位置指定手段であり、カラー画像の任意の点を指定することにより、その点の位置データを入力することができる。ｃは記憶手段であり、位置指定手段ｂで指定された位置の濃度データを画像読取手段ａから入力するカラーデータから検出して記憶する。ｄは色変換手段であり、記憶手段ｃに記憶された濃度データを色変換する際の色指定情報として用いてカラーデータの色変換を行う。」（公報第２頁左下欄第９行〜同頁右下欄第３行）
《対比・判断》
１）本件発明は、補正された訂正明細書の記載によれば、従来提案されている装置では、複数のカラー情報を登録した時にその登録されたカラー情報のうち所望の情報を選択し、選択された情報に基づいたカラー画像の再生を行わないと登録したカラー情報について操作者が確認することが出来ないという問題点に鑑み、登録した色データを簡単に確認出来る様にしたカラー画像処理装置を提供することを目的として（訂正明細書の【発明の詳細な説明】中の〔発明が解決しようとしている問題点〕の項の記載参照）、請求項１記載の構成を採用したものといえる。
２）これに対して、引用例１には、複数の色情報を記憶する記憶手段と、前記色情報を基に印刷手段により複数の色パターンを印刷するパターン出力手段を有するカラー複写装置が記載されており（引用例１の上記▲１▼，▲２▼の記載参照）、そこには本件発明でいう「登録された複数の色データを」、「一括して再生する手段」を有する「カラー画像処理装置」が開示されているといえる。
　しかしながら、引用例１には、本件発明のような「複数設けられた登録部から選択された登録部を受け付ける手段」、「対象画像を読み取る読み取り手段によって読み取られた画像の色データを複数前記受け付ける手段により受け付けられた複数の登録部に登録する手段」、「該登録する手段によって任意に」登録された複数の色データを、「前記色データそれぞれに対応して受け付けられた登録部を認識可能な形式で」一括して再生する手段について何も記載がなく、示唆もない。
３）引用例２には、カラー原稿のＰ点の色情報を読取り、色情報メモリに記憶すること（引用例２の上記▲１▼の記載参照）、また引用例３には、カラー画像の任意の点を指定することにより、その点の位置データを入力し、その位置指定手段で指定された位置の濃度を画像読取手段から入力するカラーデータから検出して記憶すること（引用例３の上記▲１▼の記載参照）が、それぞれ記載されており、それらには、本件発明でいう「対象画像を読み取る読み取り手段によって読み取られた画像の色データを」、「登録部に登録する手段」は開示されているといえるが、そこにも本件発明のような「複数設けられた登録部から選択された登録部を受け付ける手段」、色データを「複数前記受け付ける手段により受け付けられた複数の」登録部に登録する手段、「該登録する手段によって任意に登録された複数の色データを、前記色データそれぞれに対応して受け付けられた登録部を認識可能な形式で一括して再生する手段」について何も記載がなく、示唆もない。
　以上のように、引用例１〜３のいずれにも、本件発明のような上記問題点についての認識や本件発明のような「複数設けられた登録部から選択された登録部を受け付ける手段」、色データを「複数前記受け付ける手段により受け付けられた複数の」登録部に登録する手段、「該登録する手段によって任意に登録された複数の色データを、前記色データそれぞれに対応して受け付けられた登録部を認識可能な形式で」一括して再生する手段について何も記載がなく、示唆もないのであるから、各引用例の記載内容、もしくはそれらの組み合わせから本件発明が容易に想到し得るとはいえない。
　そして本件発明の構成によって「登録した色を一括して表示出来るので、この一括した表示を確認後、色データの任意な登録を行なうことを可能にでき、登録しようとしている色と既に登録した色が同じであるか使用者は知ることが出来、その結果不要な色データの登録をすることを防止でき使い勝手が良く、また、登録する手段によって任意に登録された複数の色データを、前記色データそれぞれに対応して受け付けられた登録部を認識可能な形式で一括して再生するので、登録された色データが、複数設けられた登録部のいずれに対応しているか認識可能となり、色データが対応している登録部を色データが対応していない登録部であると誤認識することを防止できる。」（補正された訂正明細書の【発明の詳細な説明】中の〔発明の効果〕の項の記載）等の補正された訂正明細書に記載の顕著な効果を奏するものである。
　また、他に本件発明が特許を受けることができないものであるとすべき理由は見出せない。
　したがって、本件発明は、特許出願の際独立して特許を受けることができるものである。
オ．むすび
　以上のとおりであるから、上記訂正請求は、特許法等の一部を改正する法律（平成６年法律第１１６号）附則第６条第第１項の規定によりなお従前の例によるとされる、特許法第１２０条の４第２項及び同条第３項で準用する第１２６条第２−４項の規定に適合するので、当該訂正を認める。
ＩＩＩ【特許異議の申立てについての判断】
ア．申立ての理由の概要
　異議申立人遠藤秀貴は、証拠として甲第１号証（上記引用例１：特開昭６３−６７９７３号公報）、甲第２号証（上記引用例２：特開昭６３−１０６７６２号公報）及び甲第３号証（上記引用例３：特開昭６２−１９２８６４号公報）を提出し、特許明細書の請求項１に係る発明の特許は特許法第２９条第２項の規定に違反してなされたものであるから、特許明細書の請求項１に係る発明の特許は特許法第１１３条第２号に該当するので取り消されるべきである旨主張している。
イ．判断
　特許明細書の請求項１に係る発明は、訂正により補正された訂正明細書の請求項１に係る発明のとおりになったので、上記ＩＩ．エで判断したように、甲第１〜３号証に記載された発明に基づいて容易に発明をすることができたものとはいえない。
ウ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年９月３０日（１９９９．９．３０）
【訂正の要旨】
▲１▼全文訂正明細書の特許請求の範囲（１）における
イ）「対象画像を読み取る読み取り手段によって読み取られた画像の色データを複数任意に登録する手段、
　該登録する手段によって任意に登録された複数の色データを一括して再生する手段とを有することを特徴とするカラー画像処理装置。」を
「複数設けられた登録部から選択された登録部を受け付ける手段、
　対象画像を読み取る読み取り手段によって読み取られた画像の色データを複数
前記受け付ける手段により受け付けられた複数の登録部に
　該登録する手段によって任意に登録された複数の色データを
、前記色データそれぞれに対応して受け付けられた登録部を認識可能な形式で
▲２▼全文訂正明細書
ロ）第１頁２７行〜３３行の
「〔問題点を解決するための手段〕
　本発明のカラー画像処理装置は上述の目的を達成するため、対象画像を読み取る読み取り手段によって読み取られた画像の色データを複数任意に登録する手段、該登録する手段によって登録された複数の色データを一括して再生する手段とを有する。
〔作用〕
　上記構成に於いて、前記登録する手段によって
任意
を、
「〔問題点を解決するための手段〕
　本発明のカラー画像処理装置は上述の目的を達成するため、
複数設けられた登録部から選択された登録部を受け付ける手段、
　対象画像を読み取る読み取り手段によって読み取られた画像の色データを複数
前記受け付ける手段により受け付けられた複数の登録部に
　該登録する手段によって任意に登録された複数の色データを
、前記色データそれぞれに対応して受け付けられた登録部を認識可能な形式で
〔作用〕
　上記構成に於いて、前記登録する手段によって任意に登録された複数の色データを
、前記色データそれぞれに対応して受け付けられた登録部を認識可能な形式で
ハ）第１１頁第３０行〜３４行の
「〔発明の効果〕
　以上説明した様に本発明に依れば登録した色を一括して表示出来るので、この一括した表示を確認後、色データの任意な登録を行なうことを可能にでき、登録しようとしている色と既に登録した色か同じであるか使用者は知ることか出来、その結果不要な色データの登録をすることを防止でき使い勝手が良い。」を、
「〔発明の効果〕
　以上説明した様に本発明に依れば登録した色を一括して表示出来るので、この一括した表示を確認後、色データの任意な登録を行なうことを可能にでき、登録しようとしている色と既に登録した色が同じであるか使用者は知ることが出来、その結果不要な色データの登録をすることを防止でき使い勝手が良くまた、登録する手段によって任意に登録された複数の色データを、前記色データそれぞれに対応して受け付けられた登録部を認識可能な形式で一括して再生するので、登録された色データが、複数設けられた登録部のいずれに対応しているか認識可能となり、色データが対応している登録部を色データが対応していない登録部であると誤認識することを防止できる。」と補正する。
（５４）【発明の名称】
カラー画像処理装置
（５７）【特許請求の範囲】
（１）
複数設けられた登録部から選択された登録部を受け付ける手段、
　対象画像を読み取る読み取り手段によって読み取られた画像の色データを複数
前記受け付ける手段により受け付けられた複数の登録部に
　該登録する手段によって任意に登録された複数の色データを
、前記色データそれぞれに対応して受け付けられた登録部を認識可能な形式で
【発明の詳細な説明】
〔産業上の利用分野〕
　本発明はカラー画像処理装置、特に色データを複数登録出来るカラー画像処理装置に関する。
〔従来の技術〕
　上述の画像処理装置の１例としてカラー原稿を読み取り、カラー画像として記憶するカラー複写機に関する提案がなされている。そのうちの１つとして、原稿上の１部のカラー情報を読み取り、記憶して登録を行い、その情報に基づきカラー画像を形成する機能も提案されている。
〔発明が解決しようとしている問題点〕
　しかしながら、従来提案されている装置では、複数のカラー情報を登録した時にその登録されたカラー情報のうち所望の情報を選択し、選択された情報に基づいたカラー画像の再生を行わないと登録したカラー情報について操作者が確認することが出来ないという欠点があった。
　かかる点はカラー複写機に限らず、カラー情報を取り扱う装置であるば同様に発生する欠点であった。
　本発明はかかる問題点を解消し、登録した色データを簡単に確認出来る様にしたカラー画像処理装置を提供することを目的とする。
〔問題点を解決するための手段〕
　本発明のカラー画像処理装置は上述の目的を達成するため、
複数設けられた登録部から選択された登録部を受け付ける手段、
　対象画像を読み取る読み取り手段によって読み取られた画像の色データを複数
前記受け付ける手段により受け付けられた複数の登録部に
　該登録する手段によって任意に登録された複数の色データを
、前記色データそれぞれに対応して受け付けられた登録部を認識可能な形式で
〔作用〕
　上記構成に於いて、前記登録する手段によって
任意に
、前記色データそれぞれに対応して受け付けられた登録部を認識可能な形式で
〔実施例〕
　以下説明する実施例においては、原稿を読み取りカラー画像信号として出力し、カラー記録装置において複写を行うカラー複写機であって、１つもしくは複数のカラー情報を登録する事を可能とし、操作者の指示に従って前記カラー情報を一括して記録紙上に再生する機能を具備するカラー複写機が開示されるが、本発明においては上述の複写機に限るものではなく、例えば原稿の読み取り手段は別体として形成していてもよいし、又、登録したカラー情報を例えばＣＲＴ等のモニタ上に再生する様にしてもよい。
　以下、本発明の実施例について図面を用いて説明する。
第１図に本発明を実施した装置の操作部を示す。機能キー１００は、各種機能を指定する時使用するキーで、キーが押されるとタッチパネルディスプレイ１０１の表示が変化して各種設定が出来る様になっている。タッチパネルディスプレイ１０１は液晶表示部に透明なシートをかぶせた物で、シートはマトリクス状のキーになっている。従って、図中１０２の様な丸く囲まれた部分を指で押すとその座標がマイクロコンピュータに取り込まれ、キーと判断されて、処理される。
　又、テンキー１０３は各種数値の設定に利用され、スタートキー１０４はコピースタートを指示するもので、リセットキー１０５は各種設定を標準状態に戻す為に利用する。
　次に、第２図により本実施例の機械の内部構成を示し、これを説明する。第２図は本実施例の装置の断面図である。原稿読み取り部１０（以下スキャナとする）は、プラテンガラス１７上の原稿を、レンズ及び光源１５により照射し、その反射光を読み取り素子ＣＣＤを搭載するＣＣＤユニット１６により光電変換し、画像信号に変換する。その変換された画像信号はマイクロコンピュータが組み込まれるコントロール基板２により画像処理され、プリンタ部３へ転送される。１１は原稿おさえ圧板である。
　プリンタ３はスキャナ１０により読み取られたカラー情報を記録紙上に可視像として再生するものであって、用紙はロール紙２９及びカセット２０に入ったカセット紙のどちらかが選択可能である、ロール紙２９は第１図に示した操作部のスタートキー１０４が押されるとローラ３０により搬送され、ローラ２６，２７により搬送されプラテン３９上に停止する。そして、レール３６上を図の奥方向に移動する印字ヘッド３７を搭載するキャリッジユニット３４の移動により用紙上に画像情報を印字する。印字ヘッド３７はインクジエツトの印字ヘッドで、紙上手前からブラック，イエロー，マゼンタ，シアンの４つのヘッドが並んでいる。本実施例は１回に同時に印字できる巾は２５６画素（本装置は１インチ当り４００画素なので１６ｍｍ）である。そして１ライン印字が終了するとキヤリツジ３４は手前に戻り、用紙はローラ２８により１ライン分搬送される。以上の動作をくりかえして１枚分の画像が印字されれば、印字された紙が機外のトレイ２３に排出される。
　尚、カツター３１は、用紙の送り量に対応して必要サイズ分で用紙をカットする。　
インクタンク３５は、各印字ヘツドヘインクを供給する為のものである。カット紙の場合はローラ２４によりカセツト２０から搬出され、ローラ２５により搬送され、ロール紙同様に印字される。
　又、ローラ３２は、手差しコピーの用紙搬送ローラである。コントロール基板２はスキヤナ部，プリンタ部両方のコピー動作の制御を行うと同時に各種画像処理も行っている。
　次に、第３図に本実施例のスキヤナ１０のコントロール基板上２上の画像処理部を示し、以下これを説明する。
　読み取り素子ＣＣＤ２００は原稿からの反射光を光電変換してＲＧＢ３色の色信号（各色８ビットで構成される）にする周知の素子である。
　ＣＣＤ２００によって読み取られた画像信号は、入力画像処理部２０１（暗電流除去、シェーデイン処理等が行われる）、ＲＧＢからＹＭＣへの変換回路２０２を通ってＹＭＣ信号に変換される。そして、各部を制御する不図示のＣＰＵはＹＭＣ信号に変換されたところで、色情報を読み取りメモリ回路３００上に記憶できる様な回路構成となっている。従って、色登録の場合は指定された原稿上の座標ＹＭＣの色情報を読み取り、指定されたメモリ上に記憶することにより登録が行われる。
　さて、ＹＭＣに変換された信号は素通しの系路と色変換回路２０５を系路に分けられる。色変換回路２０５は入力されるＹＭＣの濃度に応じて変換するか、ＣＰＵよりレジスタ２０３に与えられる一定の濃度で変換するかがセレクタ２０４によって選択される。そして、選択された情報に対し登録された色情報を乗算する事により変換された色を作り出している。
　それから画像情報は比較回路２０６にも入力される。比較回路２０６は、ＹＭＣ各色の濃度がある範囲にあるかどうか比較する回路で、その範囲は、比較色を色登録と同様な方法で読み取り、操作者の指示に従ってその値を大小に拡げる事により決める（例えば、読み取りが５ならば４から６の間が範囲、３から７の間、２から８の間というように範囲を決定する）。
　そして、ＹＭＣ各色がその範囲に入れば変換信号を出力する。セレクタ２０７は比較回路２０６の出力を有効にするか、比較回路２０６の出力に関係なく色変換を行うかのセレクタであり、ゲート２０８は色変換を行うか行わないかのゲートである。そして、それらのセレクタ及びゲートはＣＰＵ（コントローラ３１０）により制御される。セレクタ２０９は比較回路２０６等の出力に応じて画像情報を元のままのものにするか、変換されたものにするか切り換えるためのものである。
　そして、画像情報は画像を出力するかどうかのゲート２１０及び出力画像処理回路（黒情報抽出等）２１１を通って、２値化回路２１２により２値データに変換され、記録部３（以下プリンタとする）に送られる。ゲート２１０のゲート信号は、主走査と副走査のカウンタの比較により作成される。
　本実施例のスキヤナはＣＣＤにより２５６画素（約１６ｍｍ）を同時に読み取り（主走査という）ながら副走査方向に移動し、プリンタも同様に２５６画素ずつ印字しながら（第３図のＸ方向）副走査方向に移動する（第５図Ｙ方向）ラスタ方式により読み取り及び印字を行っている。従ってゲート信号も、同時に読む２５６画素方向（主走査）にスタート画素を示すスタートレジスタ２１７，エンド画素数を示すエンドレジスタ２１８があり、比較回路２２０により主走査画素カウンタ２１９と比較して、主走査方向のゲート信号が作られ、副走査方向も同様にスタートレジスタ２１３，エンドレジスタ２１４，副走査画素カウンタ２１５，比較回路２１６によりゲート信号が作られ、それによりゲート２１１を介してゲート２１０にゲート信号が入力する。
　尚、プリンタは第５図３１０に示す様に２５６画素同時にプリント可能な印字ヘッドをそれぞれシアン，マゼンタ，イエロー，ブラックの各色用に持ち、印字しながら副走査方向に印字し、１ライン印字したら用紙を１ライン分上方に送って次の行を印字する。
　又、第３図において３００は後述する様に登録色データを記憶するためのメモリ回路、３１０は装置各部の動作を制御するコントローラ（ＣＰＵ）、３２０はデジタイザ１６或いは第１図、あるいは第７図乃至第１０図に示す操作表示部３３０とコントローラ３１０との間の操作により設定されたデータ或いは表示用のデータをやりとりするための操作部インターフェースである。
　次に、第１図に戻って、本カラー複写装置の操作部の説明を続ける。キー１００は後述する登録モードの設定を行う為のエンターキー、キー１０５は置数のクリアや連続コピー中の停止の為のクリア／ストップキー、キー１０７は後述する移動モードの中のセンター移動を指定するセンター移動キー、キー４０８はコピー時に原稿サイズと原稿位置を自動的に検知する原稿認識キー、キー１０６は、後述するプロジエクタモードを指定するプロジエクタキー、キー１０９は前回のコピー設定状態を復帰させる為のリコールキーである。
　次に、第３図中のデジタイザー１６について説明する。
＜デジタイザー＞
　第６図はデジタイザー１６の外観図である。キー４２２，４２３，４２４，４２５，４２６，４２７は第１図に示したキーと同様のエントリーキーであり、座標検知板４２０は原稿上の任意の領域を指定したり、あるいは倍率を設定するための座標位置検出板であり、ポイントペン４２１はその座標を指定するものである。これらのキー及び座標入力情報は、バス５０５を介してＣＰＵ２２とデータの受々が行われ、それに応じてこれらの情報はＲＡＭ２４及びＲＡＭ２５に記憶される。
　次に、キー１０７によって設定される移動モードについて説明する。
＜移動モード＞
　移動モードＭ２００は、４種類の移動モードで構成されており、それぞれセンター移動Ｍ２１０、コーナー移動Ｍ２２０，指定移動Ｍ２３０，とじ代Ｍ２４０となっている。センター移動Ｍ２１０は、原稿サイズ又は原稿上に指定された領域が選択された用紙のちょうど中央にプリントされる様に移動するモードである。コーナー移動Ｍ２２０は、原稿サイズ又は原稿上の指定された領域が選択された用紙の４隅のいずれかに移動するモードである。即ち、プリントイメージが選択された用紙サイズよりも大きい時にも、指定されたコーナーを始点として移動する様に制御される。指定移動Ｍ２３０は、原稿又は原稿の任意の領域を選択された用紙の任意の位置に移動させるモードである。とじ代Ｍ２４０は、選択された用紙の送り方向の左右に、いわゆるとじ代分の余白を作る様に移動するモードである。
　次に本カラー複写装置において、実際の操作方法を第７図（ａ）を用いて説明する。まずデジタイザー１６の移動キー４２３を押すと、表示は画面Ｐ２００に変る。画面Ｐ２００では、前述の４種類の移動モードを選択する。
　センター移動を指定したい場合は、画面Ｐ２００のタッチキーａを押し終了する。コーナー移動は、タッチキーｂを押すと、表示画面Ｐ２３０に変化し、そこで、４隅のコーナーのうち１つを指定する。ここで、実際のプリント用紙に対する移動方向と、画面Ｐ２３０の指定方向との対応は、第７図（ｂ）の様にデジタイザー１６上に選択されたカセットの用紙の向きを変えないで、そのまま乗せたものと同じイメージとなっている。指定移動を行いたい時は、画面Ｐ２００のタッチキーｃを押し画面Ｐ２１０へ進み、デジタイザー１６により移動先の位置を指定する。この時表示は画面Ｐ２１１に変り、図中のアップダウンキーを用いて更に微調ができる様になっている。次にとじ代の移動を行いたい時は、画面Ｐ２００のタッチキーｄを押し、画面Ｐ２２０のアップダウンキーにより余白部分の長さを指定する。
　次に、第１図に示すキー１１０によって設定されるエリア指定モードについて説明する。
＜エリア指定モードの説明＞
　エリア指定モードＭ３００では、原稿上の１ケ所あるいは複数の領域指定が可能で、各々エリアに対してそれぞれトリミングモードＭ３１０，マスキングモードＭ３２０、画像分離モードの３つのうち任意のモード設定が行える。ここで述べるトリミングモードＭ３１０とは、指定した領域の内側の画像だけをコピーするもので、マスキングモードＭ３２０とは指定した領域の内側を白イメーシでマスクしてコピーを行うものである。又画像分離モードＭ３３０は、更にカラーモードＭ３３１，色変換モードＭ３３２，ペイントモードＭ３３３，カラーバランスモードＭ３３４，フリーカラーモードＭ３３５のうち任意のモードを選択する事ができる。カラーモードＭ３３１では、指定した領域内について４色フルカラー、３色フルカラーＹ，Ｍ，Ｃ，Ｂｋ，ＲＥＤ，ＧＲＥＥＮ，ＢＬＵＥの９種類のうちの任意のカラーモードを選択できる。
　フリーカラーモードＭ３３５は指定した領域内について前記モノカラー７種類以外の色でのモノカラー画像を選択できる。
　色変換モードＭ３３２は、指定された領域内で、ある濃度範囲を持った所定色部分を他の任意な色に置き変えコピーするモードである。
　ペイントモードＭ３３３は、指定した領域全面に亘って、他の任意な色で均一にぬりつぶされたコピーをするモードである。カラーバランスモードＭ３３４は、指定された領域内を、Ｙ，Ｍ，Ｃ，Ｂｋそれぞれの濃度調整をする事により、指定外の領域と異ったカラーバランス（色調）でプリントするモードである。
　エリア指定モードＭ３００の本実施例において具体的な操作方法を第８図によって順に説明する。ますデジタイザー１６上のエリア指定キー４２４を押すと液晶表示は画面Ｐ３００に変り、デジタイザー１６上に原稿を乗せ領域をポイントペン４２１で指定する。領域の２点を押した時点で表示は画面Ｐ３１０に変り、指定領域か良ければ画面Ｐ３１０のタッチキーａを押す。次にこの指定した領域を画面Ｐ３２０で表示されている、トリミング，マスキング，画像分離の１つを選択しキーを押下する。この時指定がトリミング又はマスキングであれば、画面Ｐ３２０のタッチキーａキーを押し、次の領域指定へと進む。画面Ｐ３２０で画像分離を選択した場合は画面Ｐ３３０へ進み、色変換，ペイント，カラーモード，カラーバランス，フリーカラーモードのいずれかを選択する。例えば、指定領域内の画像をＹ，Ｍ，Ｃ，Ｂｋの４色カラーでプリントしたい場合は、画面Ｐ３３０のタッチキーａ（カラーモード）を押し、画面Ｐ３６０の９種類のカラーモードの中からタツチキーａを押し、領域を４色フルカラーでプリントする指定が終了する。
　画面Ｐ３３０において、色変換を指定するタツチキーｂを押した場合は、表示は画面Ｐ３４０に進み、指定した領域内で色変換したい色情報を持っている点をポイントペンにより指定する。
　この色情報をもとに色変換が行われ、この際画面Ｐ３４１中央にある変換の範囲指定キーにより、色変換される色領域を可変できる様になっている。ここで言う変換の範囲とは指定点の色情報と同色とみなす色情報の範囲の幅を示す（以下変換の範囲と称す）。これは例えばタツチキーｂにより変換の範囲を広くすれば濃度色味が違っている領域まで変換し、タツチキーｃにより狭くすれば逆に指定の濃度，指定の色味の領域のみが変換できる様になる。
　指定した位置で良ければ画面Ｐ３４１のタツチキーａを押し画面Ｐ３７０へと進む。画面Ｐ３７０は、変換後の色指定を行う画面で、標準色，指定色，登録色，白の４種類のうち１つを指定する。ここで、変換後の色を標準色より選択する場合は、画面Ｐ３７０のタツチキーａを押し画面Ｐ３９０で表示されている黄，マゼンタ，シアン，黒，赤，緑，青の７種類のいずれか１色をここで指定する。つまり標準色とは、本カラー複写装置が固有に持っている色情報で、本実施例の場合第４５図の様な比率でプリントイメージの濃度としてはちょうど中間濃度としてプリントされる様になっている。しかし指定した色の濃度をもう少しうすく、あるいは濃くしたい要求は当然有り、その為に画面Ｐ３９０の中央にある、濃度指定キーを押し、所望の濃度で色変換できる様になっている。
　次に画面Ｐ３７０でタツチキーｃ（指定色）を選択した時は、画面Ｐ３８０へ進み、変換前の色座標と同様な指定方法で、変換後の色情報を持つ点をポイントペンで指定し、画面Ｐ３８１へ進む。ここでも、前述した様に指定した座標の色味を変えないで濃度だけを変化させて、色変換を行いたい時は、画面Ｐ３８１中央の濃度調整ｋキーａを押し所望の濃度で色変換をする事が可能となる。
　次に画面Ｐ３７０において、標準色及び原稿上に所望の色が無い時は、後述する色登録モードＭ７１０で登録された色情報を用いて色変換する事ができる。この場合は、画面Ｐ３７０のタツチキーｃを押し、画面Ｐ３９１で登録された色のうち、使用したい色番号のタツチキーを押す。ここでも登録された色の濃度を、各色成分の比率を変えずに濃度だけを変えて調整する事ができる。また画面Ｐ３７０でタツチキーｃ（白）を指定すると、前述のマスキングモードＭ３１０と同様の効果となる。
　次に画像分離モードＭ３３０のペイントモードＭ３３３を指定したい時は、画面Ｐ３３０のタツチキーｃを押し、画面はＰ３７０へ進む。これ以降のペイント後の色指定は、色変換モードＭ３３２の画面Ｐ３７０以降の設定方法と全く同様の操作となる。
　画面Ｐ３３０で、指定した領域内だけを所望のカラーバランス（色調）でプリントしたい時は、タツチキーｄ（カラーバランス）を押す。この時表示は画面Ｐ３５０に変り、ここではプリンタのトナーの成分であるイエロー，マゼンタ，シアン，黒の濃度調整を、アツプダウンのタツチキーを用いて行う。ここで、画面Ｐ３５０上では黒の棒グラフが濃度指定の状態を示しており、その横に目盛が表示してあり見やすくなっている。
　画面Ｐ３３０において、フリーカラーモードを指定するタッチキーｅを押した場合は、表示は画面Ｐ３６１に進む。画面Ｐ３６１はモノ・カラーの色を指定色が登録色かどちらか１つを指定する。
　画面Ｐ３６１でタツチキーａ（指定色）を選択した時は、画面Ｐ３６２へ進み、所望のモノ・カラー色情報を持つ点をポイントペンで指定し、画面Ｐ３６３へ進む。ここでも前述の指定したモノ・カラーの色味を変えないで濃度だけを変化させて、モノ・カラーを行いたいときは、画面Ｐ３６３の濃度調整キーａを押して所望の濃度でフリーカラーモードをする事が可能となる。
　また画面Ｐ３６３においてＯＫキーｂを押すと画面Ｐ３６５へ進み、画面３６２で指定した色情報の濃度と同じ濃度にしたい基準の色情報の位置をポイントペンで入力することにより、所望の濃度のフリーカラーモードにする事も可能となる。
　次に画面Ｐ３６１でタッチキーｂ（登録色）を選択した時は、画面Ｐ３６４へ進み、所望のモノ・カラー色情報を登録色の中からひとつ選択する。ここでもモノ・カラーの色味を変えずに濃度だけを変えて調整することができる。又画面Ｐ３６４のＯＫキーを押して画面Ｐ３６５へ進み、前述のように画面Ｐ３６４で指定した登録色と画面Ｐ３６５で指定する基準色の濃度が一致するフリーカラーモードを選択できる。
　次に、第１図に示したキー１１２によって設定されるカラークリエントモードについて説明する。
〈カラークリエントモードの説明〉
　カラークリエントモードＭ４００では、カラーモードＭ４１０，色変換モード４２０，ペイントモードＭ４３０，シヤープネスモードＭ４４０，カラーバランスモードＭ４５０，フリーカラーモードＭ４６０の６種類のモードから１つあるいは複数指定が可能である。
　ここで、エリア指定モードＭ３００の、カラーモードＭ３３１，色変換モードＭ３３２，ペイントモードＭ３３３，カラーバランスモードＭ３３４，フリーカラーモードＭ３３５との違いは、カラークリエイトモードＭ４００は、原稿のある領域に対してではなく、原稿全体に対して機能が動作するという事だけで、他は全く同様の機能をする。よって以上の５つのモードの説明は省略する。
　シヤープネスモード４４０は、画像のシヤープネスさを調整するモードで、いわゆる文字画像にエツジを強調させたり、網点画像にスムージング効果を出させる割合を調整するモードである。
　次にカラークリエイトモード▲１▼設定方法を第９図の説明図に従って説明する。デシタイザー１６のカラークリエイトモードキー４２５を押下すると液晶表示は、画面Ｐ４００の表示に変る。画面Ｐ４００においてタツチキーｂ（カラーモード）を押すと画面Ｐ４１０に進み、ここでコピーしたい色モードを選択する。選択したいカラーモードが３色カラー及び４色カラー以外のモノクロカラーモードを選択した時は、更に表示は画面Ｐ４１１へ進みネガかポジかの選択ができる。画面Ｐ４００でタツチキーｃ（シヤープネス）を押下すると、画面Ｐ４３０に変りコピー画像に対するシヤープネスを調整できる様になっている。画面Ｐ４３０の強のタッチキーｉを押すと、前述した様にエツジ強調の量が増え特に文字画像等の細線がきれいにコピーされる。又弱のタッチキーｈを押すと、周辺画像の平滑化が行われ、いわゆるスムージングの量が大きくなり、網点原稿時のモワレ等を消去できる様に設定が行える。
　又、色変換モードＭ４２０，ペイントモードＭ４３０，カラーバランスＭ４５０の操作は、エリア指定モードと同様なので、ここでは省略する。
　また、キー１１４によって設定されるはめ込み合成モードについては本発明とは直接関係ないので説明を省略する。
　次に、本実施例におけるカラー情報の設定を含む登録モードについて説明する。
＜登録モード＞
　登録モードＭ７００は、色登録モードＭ７１０，ズームプログラムモードＭ７２０，手差しサイズ指定モードＭ７３０の３種類のモードより構成されている。
　色登録モードＭ７１０は、前述のカラークリエイトモードＭ４００及びエリア指定モードＭ３００の色変換モードとペイントモード指定時に変換後の色を本モードで登録する事ができる。ズームプログラムモードＭ７２０は、原稿のサイズとコピー用紙サイズの長さを入力する事によりその倍率計算を自動的に行い、その結果の倍率か標準画面Ｐ０００に表示され、以降その倍率でコピーされるモードである。手差しサイズ指定モードＭ７３０は、本カラー複写装置では上下段のカセット給紙の他に手差しによりコピーが可能で、いわゆるＡＰＳ（オートペーパセレクト）モード等で使用したい時は、手差しのサイズを指定する事かできるモードである。
　まず、第１図の操作部にある＊キー４０２を押下すると、表示は第１０図の画面Ｐ７００に変る。次に色登録モードＭ７１０の色登録を行いたい時は、曲面Ｐ７００のタツチキーａを押し、画面Ｐ７１０でデジタイザー１６に色登録したい原稿を乗せ、その色部をポイントペン４２１で指定する。
　この時、画面は画面Ｐ７１１に変り、何番目の登録番号に設定したいかその番号のタツチキーを押す。更に、他の色も登録したい時は画面Ｐ７１１のタツチキーｄを押下し画面Ｐ７１０に戻り、同様の手順で設定する。登録したい座標の入力が終了したならばタツチキーｅを押し、画面Ｐ７１２の読み取りスタートキーであるタッチキーｆを押下する。
　タツチキーｆ押下後は、第１１図のフローチヤートの処理に従って動作する。まずＳ７００でハロゲンランプ１０を点灯し、Ｓ７０１で前述の指定した座標（副走査方向）より、ステツピングモータの移動パネル数を計算し前述の指定移動コマンドの発行により原稿読み取り部（原稿走査ユニット）１０を移動させる。Ｓ７０２ではラインデータ取り込みモードにより座標指定された副走査位置の１ライン分を第３図のメモリ回路３００中のＲＡＭ３００−１へ取り込む。Ｓ７０３ではこの取り込んだ１ラインのデータより、座標指定された主走査位置の前後８画素の平均値を３００−１よりＣＰＵ２２で演算し、メモリ回路３００中のＲＡＭ３００−２に格納する。Ｓ７０４で登録座標の指定ケ所分読み取ったかの判断を行い、まだあればＳ７０１へ行き同様の処理を行う。読み取りケ所が全て終了したならばＳ７０５でハロゲンランプ１０を消灯し、原稿走査ユニットを基準位置であるＨ．Ｐ位置まで戻して動作は終了する。
　又、Ｐ７１１に示した画面において“登録色コピー”Ｐ７１５のタツチキーを押すと第４図，第５図を用いて後述する登録色コピーが行われる。
　次に画面Ｐ７００において、タツチキーａ（ズームプログラム）を押すと、画面Ｐ７２０に変り、ここで、原稿サイズの長さとコピーサイズの長さをアツプダウンキーにより設定する。設定された数値は、画面Ｐ７２０に表示され同時に
の％値が表示される様になっている。又その演算結果は、標準画面Ｐ０００の倍率表示位置に表示され、コピー時の倍率設定がなされる。
　次に画面Ｐ７００でタツチキーｃ（手差しサイズ指定）を押下すると画面Ｐ７３０に進み、ここで手差し用紙の紙サイズを指定する。本モードは例えばＡＰＳモードや、オートスムーズ変倍を手差し用紙に対して行える様にするものである。
　以上各モードにおいてタツチパネル又はデシタイザーの座標入力により設定された数値や情報はＣＰＵ２２の制御のもとにＲＡＭ２４，ＲＡＭ２５のあらかじめ配置された領域にそれぞれ格納され、以降のコピーシーケンス時にパラメーターとして呼び出され制御される。
　次に前述の第１０図のＰ７１１においてＰ７１５によって設定される登録色一括コピーについて説明する。尚、第１０図のＰ７１１は第１図の表示であってもよい。本実施例の登録色一括コピーは第１図のタツチパネルデイスプレイの登録色コピーキー１０２か押されると、第５図に示す様に登録されている色情報１〜８を１０ｃｍ×１０ｃｍの大きさで用紙３００上に順次（３０１から３０８の順に）プリントアウトする。その制御はＣＰＵ（コントローラ３１０）の動作により行われる。次にかかる動作についてフローチヤートを用いて説明する。（第４図）
　まず、レジスタ２０３に適当な値（この値は登録色コピーをする場合、該色の濃度に相当する）をセットし、セレクタ２０４をレジスタ２０３選択にする（ＳＴＰ４０１）。そして、セレクタ２０７を常時変換に切り換え、ゲート２０８をセレクタ２０７の出力選択にする（ＳＴＰ４０２）。以上によりセレクタ２０９は常に色変換回路２０５側をセレクトする様になる。そして、プリンタの給紙動作等の前処理を開始する（ＳＴＰ４０３）、そして作業ＲＡＭ上のライン数カウンタを０にセットし（ＳＴＰ４０４）、作業ＲＡＭ上の色カウンタ１と色カウンタ２へ１をセットする（ＳＴＰ４０５）。尚、色カウンタ２の値は第１図に示す登録色１〜８の対応しており、例えば色カウンタ２が１の場合には登録色のＮｏ．１の色データが色変換回路２０５にセツトされる。ＳＴＰ４０５の次には色カウンタ２の内容と一致する番号の色が登録されているか判断し（ＳＴＰ４０６）（尚、登録されているかどうかは色登録動作時にセットされる作業ＲＡＭ上の内部フラグにより判断する）。そして、色が登録されていたら、色情報を色変換回路２０５ヘセツトする（ＳＴＰ４０７）。
　そして、用紙上の印字位置が決っているので、主走査方向の印字位置印字位置制御カウンタ用のスタートレジスタ２１７とエンドレジスタ２１８上にセットする（ＳＴＰ４０８）（例えば２番目の色ならば、
そして、ライン数カウンタが６か１３の時は（ＳＴＰ４０９）副走査カウンタの比較用レジスタのスタートレジスタ２１３へ０をセットし、エンドレジスタ２１４へ３８をセツトする（ＳＴＰ４１１）。その他のラインの時は、スタートレジスタ２１３へ０、エンドレジスタ２１４へ２５６をセツトする（ＳＴＰ４１０）。本実施例では登録色をコピーするに際して登録色の１つを１００ｍｍ×１００ｍｍの正方形に対応させており、かかる１００ｍｍは、
（２５６，４００，３８は画素、２５．４は１インチをｍｍしたもの、６はライン数である）として表わされるため上述の様に数値をセットしている。
　尚、詳述するとライン数カウンタはコントローラ３１０内部のカウンタであり、第５図の印字ヘッド３１０が第５図のＹ方向に１ライン移動することによって一ライン分（本実施例では印字ヘッドは第５図のＸ方向に２５６画素並んでいるので一ラインのＹ方向の幅は約１６ｍｍに相当する）印字が行われた回数を計数する。又主走査カウンタ２１９はプリンタ３から得られる印字ヘッド３１０を一画素毎にＹ方向から移動させる毎に出力されるパルスを計数し、一ライン分の印字が終了する度にリセットされる。又、副走査カウンタは印字ヘツド３１０がＸ方向の１ラインを印字する度にリセットされ、印字ヘッド３１０に供給される印字タイミングを示すパルスを計数するカウンタである。
　ＳＴＰ４１２においては読み取り及び印字により、主走査，副走査カウンタを動作させて、用紙上に色情報を印字する。そして、色カウンタ２を１つカウントアップする（ＳＴＰ４１３）。本実施例では４つ横にならベるので色カウンタが５か９になるまで上記の動作を繰り返す（ＳＴＰ４１４）。そして１列分印字が終了したらプリンタで用紙を１ライン分搬送し（ＳＴＰ４１５）、ライン数カウンタをアップし（ＳＴＰ４１６）、ライン数カウンタが１４になれば（ＳＴＰ４１７）、スキヤナのＣＣＤユニットをホームポジションに戻し（ＳＴＰ４２１）、プリンタの用紙を排出してコピー動作を終了する（ＳＴＰ４２２）。
　ライン数が１４でなく、７ならば、第５図の下の４つの印字するためにＳＴＰ４１２からＳＴＰ４１９にフローは分岐し、色カウンタ１に“５”をセツトする。そして、色カウンタ２に色カウンタ１の内容をコピーし、色カウンタ２を“５”をセツトして再びプリント動作へ戻る（ＳＴＰ４２０）。
　第５図に上述の第４図のフローを実行することによって得られるコピーサンプルの平面図を示す。
　用紙３００上に図の様に各登録色が１００ｍｍ角で印字されており、その印字方法は、前述した様に、まず登録色１の上から２５６画素分を印字し、次に登録色２の上から２５６画素分を印字する。そして、登録色４まで印字してから、用紙を１ライン分移動し、再度登録色１から印字するという方法である。
　尚、登録されていない場合はセットされるデータが“０”となるため色変換回路の出力は０となり、色変換回路２０５にコントローラ３１０から白く抜ける事になる。
〔他の実施例〕
　以上説明した様に本実施例では登録されている色を決められた場所に印字する事により、その色の番号を示しているが、各色に番号を印字する様にしてもよい。これはキヤラクタジエネレータを具備すれば、そのメモリの中に番号を画素単位で書き込み、画像信号の変わりに出力する事により容易に実現できる。又、本実施例は色変換回路が１つの為各色毎に順次印字したが、色変換回路を２つ持ち順次切換えられる様にすれば１回の印字動作で各色を順次印字する事が可能である。又、操作部にカラーＣＲＴを使用した場合は、登録色を紙上に印字する代わりに操作部のカラーＣＲＴ上にこれらの登録色を表示するのは容易である。
　以上説明した様に本実施例に依ればカラー複写機における必要機能である色変換機能の回路に簡単な回路を追加するだけで、登録されている色情報を用紙に一括して印字可能となり、操作者にとってより使い易いカラー複写機を提供することが出来るという効果を奏する。
〔発明の効果〕
　以上説明した様に本発明に依れば登録した色を一括して表示出来るので、この一括した表示を確認後、色データの任意な登録を行なうことを可能にでき、登録しようとしている色と既に登録した色が同じであるか使用者は知ることが出来、その結果不要な色データの登録をすることを防止でき使い勝手が良く、
また、登録する手段によって任意に登録された複数の色データを、前記色データそれぞれに対応して受け付けられた登録部を認識可能な形式で一括して再生するので、登録された色データが、複数設けられた登録部のいずれに対応しているか認識可能となり、色データが対応している登録部を色データが対応していない登録部であると誤認識することを防止できる。
【図面の簡単な説明】
　第１図は、本発明の一実施例の装置の操作部を示す平面図、
　第２図は、本発明の実施例の装置の内部構成を示す断面図、
　第３図は第２図に示した装置の画像処理部の回路図、
　第４図は第３図に示したコントローラ３１０の動作フローチャート図、
　第５図は第２図に示した装置により印字された印字パターンを示す図、
　第６図はデジタイザ１６を示す平面図、
　第７図（ａ）は移動モードの際の操作部の表示の変化を示す図、第７図（ｂ）はコーナー移動の操作を示す図、
　第８図はエリア指定モードの際の操作部の表示の変化を示す図、
　第９図はカラークリエイトモードの際の操作部の変化を示す図、
　第１０図は登録モードの際の操作部の表示の変化を示す図、
　第１１図は登録モードの際の第３図に示したコントローラ３１０の動作を示すフローチャートである。
　１は操作部、３はプリンタ部、１０は読み取り部、１６は読取り素子ユニット、３７は印字ヘッド。